(57)【要約】【課題】運転中に、ロールへのスケールの堆積を選択的に検出することができる連続鋳造装置、およびそのような連続鋳造方法を提供する。【解決手段】対向する方向から鋳片を挟んで搬送するロールと、ロールから排出された鋳片Ｂの表面の状態を観察して、観察情報を取得する観察手段３１と、観察情報に基づいて、鋳片Ｂのロールとの接触を経た面である接触面に存在する傷を検出し、深さおよび大きさのいずれか少なくとも一方が閾値を超える傷が接触面に存在する場合に、ロールにスケールが堆積していると判定する判定手段と、を有する連続鋳造装置とする。【選択図】図２
2020032447.tif 000002
【特許請求の範囲】
【請求項１】
対向する方向から鋳片を挟んで搬送するロールと、
前記ロールから排出された前記鋳片の表面の状態を観察して、観察情報を取得する観察手段と、
前記観察情報に基づいて、前記鋳片の前記ロールとの接触を経た面である接触面に存在する傷を検出し、深さおよび大きさのいずれか少なくとも一方が閾値を超える傷が前記接触面に存在する場合に、前記ロールにスケールが堆積していると判定する判定手段と、を有することを特徴とする連続鋳造装置。
【請求項２】
前記ロールは、搬送される前記鋳片に対して、少なくとも重力方向下側に設けられ、
前記鋳片が前記ロールを通過する際に、重力方向下側に存在していた面を、前記接触面として、前記観察手段による観察および前記判定手段による判定を行うことを特徴とする請求項１に記載の連続鋳造装置。
【請求項３】
前記連続鋳造装置はさらに、前記ロールの後段に、前記鋳片を切断する切断手段を有し、
前記観察手段は、前記切断手段よりも後段に設けられたカメラであり、前記切断手段での切断によって得られた前記鋳片の切断面を撮影し、
前記判定手段は、前記切断面の端縁に存在する傷を検出することを特徴とする請求項１または２に記載の連続鋳造装置。
【請求項４】
前記連続鋳造装置はさらに、前記鋳片を滞在させて、前記鋳片の質量を計測する計重機を有し、
前記観察手段は、前記計重機に滞在している間の前記鋳片に対して、前記観察情報の取得を行うことを特徴とする請求項１から３のいずれか１項に記載の連続鋳造装置。
【請求項５】
請求項１から４のいずれか１項に記載の連続鋳造装置を用いて、連続鋳造を行い、
前記判定手段において、前記ロールにスケールが堆積していると判定されると、前記スケールの堆積に対する処置を行うことを特徴とする連続鋳造方法。
【発明の詳細な説明】
【技術分野】
【０００１】
本発明は、連続鋳造装置および連続鋳造方法に関し、さらに詳しくは、鋳片を搬送するロールへのスケールの堆積を検出する手段を備えた連続鋳造装置、およびそのような連続鋳造装置を用いて連続鋳造を行う方法に関する。
【背景技術】
【０００２】
連続鋳造装置において、鋳片を対向する方向から挟みこんで搬送するロールが用いられるが、鋳片の表面に形成されたスケールが剥落して、ロールの表面に堆積する事態が生じやすい。
【０００３】
連続鋳造装置においては、種々の要因により、ロールに回転異常が生じる場合がある。連続鋳造装置において、ロールの回転異常を検出する方法として、例えば、特許文献１に、連鋳ロールの端部近傍円周に沿って突起物を設け、ロール回転時に該突起物に衝突してロールの回転を検出する検出器を用いる形態が開示されている。また、特許文献２に、一対のロール間における少なくとも２箇所の対向間隔を測定する測定手段と、測定手段が測定した少なくとも２か所の測定値の差を計算すると共に、各測定位置の当該測定前に測定した測定値との差を計算し、それぞれ計算した値が予め設定されたしきい値を超えたときに、ロールの両端部を支持するベアリング異常と判定する判定手段とを備えるベアリング異常検出装置が開示されている。測定手段としては、ロータリーエンコーダーや作動トランス等よりなるロール間隔測定器が用いられ、ロール間隔測定器は、一対のロール間に挿入される連続鋳造機のダミーバーに設置されている。
【先行技術文献】
【特許文献】
【０００４】
【特許文献１】特開２０００−１０２８４９号公報
【特許文献２】特開２００６−２４７６８７号公報
【発明の概要】
【発明が解決しようとする課題】
【０００５】
特許文献１に記載されるように、突起物へのロールの衝突等を利用して、ロールの回転状態を検出するようにすれば、連続鋳造装置を運転している間、常時ロールの回転状態を監視し、異常の発生を検出することができる。しかし、その監視結果に基づいて、ロールの回転状態に異常を生じさせている原因を特定することは困難である。ロールの回転状態に異常を与えうる原因として、ロール自体の摩耗、油圧設備の不具合、ベアリングの異常等が考えられる。また、回転異常と関連して、スケールの堆積が生じている場合に、回転状態の監視結果に基づいて、スケールの堆積の程度を判定することも難しい。よって、回転異常が検出された際に、連続鋳造装置の管理者が目視等でロールの状態を確認し、スケールの堆積の有無およびその程度を判別する必要がある。そして、回転異常に関連してスケールの堆積が起きている場合に、どの程度堆積しているかを確認したうえで、除去を行うか等、行うべき処置を決定する必要がある。
【０００６】
一方、特許文献２の方法によれば、ロールの回転状態に異常を与えうる種々の要因のうち、ベアリングの異常を選択的に検出することができる。しかし、ロール間における対向間隔を測定するのに、ダミーバーに設置されたロール間隔測定器を用いるため、連続鋳造装置を運転していない休転時間にしか、ロール間隔の測定および異常の検出を行うことができない。よって、異常が発生した際に、早期に対策を行うことが難しい。また、休転時間にロール間隔を測定して、異常を検出した場合に、その異常がどの時点から発生していたのか、遡及範囲を絞り込むことも、困難である。
【０００７】
さらに、特許文献１，２いずれの方法においても、ロールやベアリングに生じた異常を検出することはできるが、それら製造設備の異常が、製造される鋳片の品質に対してどの程度の影響を与えるのかを、検出結果に基づいて判断することは、難しい。品質への影響の程度は、製造設備の異常に対して対策を施さねばならない緊急性や、施すべき対策の選択に、影響を与える。
【０００８】
本発明が解決しようとする課題は、運転中に、ロールへのスケールの堆積を選択的に検出することができる連続鋳造装置、およびそのような連続鋳造方法を提供することにある。
【課題を解決するための手段】
【０００９】
上記課題を解決するため、本発明にかかる連続鋳造装置は、対向する方向から鋳片を挟んで搬送するロールと、前記ロールから排出された前記鋳片の表面の状態を観察して、観察情報を取得する観察手段と、前記観察情報に基づいて、前記鋳片の前記ロールとの接触を経た面である接触面に存在する傷を検出し、深さおよび大きさのいずれか少なくとも一方が閾値を超える傷が前記接触面に存在する場合に、前記ロールにスケールが堆積していると判定する判定手段と、を有するものである。
【００１０】
ここで、前記ロールは、搬送される前記鋳片に対して、少なくとも重力方向下側に設けられ、前記鋳片が前記ロールを通過する際に、重力方向下側に存在していた面を、前記接触面として、前記観察手段による観察および前記判定手段による判定を行うとよい。
【００１１】
前記連続鋳造装置はさらに、前記ロールの後段に、前記鋳片を切断する切断手段を有し、前記観察手段は、前記切断手段よりも後段に設けられたカメラであり、前記切断手段での切断によって得られた前記鋳片の切断面を撮影し、前記判定手段は、前記切断面の端縁に存在する傷を検出するとよい。
【００１２】
前記連続鋳造装置はさらに、前記鋳片を滞在させて、前記鋳片の質量を計測する計重機を有し、前記観察手段は、前記計重機に滞在している間の前記鋳片に対して、前記観察情報の取得を行うとよい。
【００１３】
本発明にかかる連続鋳造方法は、上記の連続鋳造装置を用いて、連続鋳造を行い、前記判定手段において、前記ロールにスケールが堆積していると判定されると、前記スケールの堆積に対する処置を行うものである。
【発明の効果】
【００１４】
上記発明にかかる連続鋳造装置においては、ロールから排出された鋳片の表面状態を観察して、ロールとの接触を経た接触面に、深さや大きさが所定の閾値を超える傷が形成されている場合に、スケールが堆積していると判定する。ロールに、ある程度の量のスケールが堆積すると、ロールから排出される鋳片の表面に、傷を与えることになる。よって、鋳片の接触面の傷を検出することで、傷の発生を引き起こさない、他の異常要因と区別して、ロールへのスケールの堆積を、選択的に検出することができる。また、ロールから排出された鋳片に対して表面状態の観察を行うので、連続鋳造装置が運転されている間に、スケールの堆積の有無を監視し、スケールの堆積が生じると、即座に検出することができる。
【００１５】
鋳片の接触面への傷の形成は、ある程度の量のスケールが堆積しないと起こらないため、実際に製造される鋳片への傷の形成を、スケール堆積の検出の指標とすることで、ロールへの軽微なスケールの付着と区別して、製品としての鋳片の品質に影響を与える量に達したスケールの堆積を、検出することができる。傷の深さや大きさを計測すれば、スケールの堆積の程度をさらに詳細に評価することもできる。
【００１６】
ここで、ロールが、搬送される鋳片に対して、少なくとも重力方向下側に設けられ、鋳片がロールを通過する際に、重力方向下側に存在していた面を、接触面として、観察手段による観察および判定手段による判定を行う場合には、鋳片の品質に大きな影響を与えうる、重力方向下側のロールへのスケールの堆積を、敏感に検出することができる。鋳片の自重により、重力方向下側のロールと鋳片の間には、特にスケールが巻き込まれやすく、また、巻き込まれたスケールが、鋳片の表面に、深く、大きな傷を与えやすいからである。
【００１７】
連続鋳造装置がさらに、ロールの後段に、鋳片を切断する切断手段を有し、観察手段が、切断手段よりも後段に設けられたカメラであり、切断手段での切断によって得られた鋳片の切断面を撮影し、判定手段が、切断面の端縁に存在する傷を検出する場合には、観察手段を簡素な構成で設置することができる。また、鋳片の接触面に形成された傷は、切断面の観察像において、端縁の欠損や陥没として、簡便に、また精度良く検出することができる。
【００１８】
連続鋳造装置がさらに、鋳片を滞在させて、鋳片の質量を計測する計重機を有し、観察手段が、計重機に滞在している間の鋳片に対して、観察情報の取得を行う場合には、鋳片が質量測定のために静止されている状態で、観察情報を取得することにより、傷の検出を高精度に行えるような高品質の観察情報を得ることができる。
【００１９】
上記発明にかかる連続鋳造方法においては、上記のような観察手段と判定手段を有する連続鋳造装置を用いて鋳造を行うため、装置を運転して連続鋳造を行っている間に、鋳片の接触面における傷の形成を指標として、ロールへのスケールの堆積を、選択的に検出することができる。スケールの堆積が検出されると、連続鋳造装置の管理者等が、早期に、スケールの除去等の対処を行うことができる。
【図面の簡単な説明】
【００２０】
【図１】本発明の一実施形態にかかる連続鋳造装置の上流側部分の概略構成を示す側面図である。
【図２】上記連続鋳造装置の下流側部分の概略構成を示す上面図である。
【図３】カメラによる鋳片の切断面の撮影を説明する図である。
【図４】得られた撮影像の一例である。
【図５】撮影像における傷の検出方法を説明する図である。
【発明を実施するための形態】
【００２１】
以下に、本発明の一実施形態にかかる連続鋳造装置および連続鋳造方法について、図面を参照しながら説明する。
【００２２】
［連続鋳造装置および連続鋳造方法の概略］
図１，２に、本発明の一実施形態にかかる連続鋳造装置１の概略を示す。図１は、上流側の部分の側面図、図２は、下流側の部分の上面図である。
【００２３】
連続鋳造装置１においては、鋳型２によって連続的に鋳造された金属材料よりなる鋳片Ｂが、ロール群１０によって、上方から下方に向かって搬送される。ロール群１０は、サポートロール１１（１１ａ，１１ｂ）、ガイドロール１２（１２ａ，１２ｂ）、ピンチロール１３（１３ａ，１３ｂ）とを含む複数のロールが、鋳片Ｂの搬送経路に沿って並べて配置されている。ロール１１，１２，１３はそれぞれ、搬送される鋳片Ｂに対して、重力方向上側に配置された上側ロール１１ｂ，１２ｂ，１３ｂと、それら上側ロール１１ｂ，１２ｂ，１３ｂに対向して、搬送される鋳片Ｂに対して重力方向下側に配置された下側ロール１１ａ，１２ａ，１３ａとを有している。さらに、各ロール１１，１２，１３は、それら上側ロールおよび下側ロールに加えて、鋳片Ｂの搬送方向Ｄに対して側方、つまり図１の紙面手前側および奥側に、相互に対向して配置された、図示しない側方ロールの対を有している。
【００２４】
ロール群１０のうち、最下流に設けられたピンチロール１３を構成する上側ピンチロール１３ｂに、駆動軸１３ｃが接続され、軸回転が駆動される。下側ピンチロール１３ａおよびサポートロール１１、ガイドロール１２は、軸回転を駆動されず、従動ロールとして機能する。鋳片を搬送する搬送方向Ｄに上側ピンチロール１３ｂを軸回転させることで、鋳片Ｂは、上側ピンチロール１３ｂと下側ピンチロール１３ａの間に挟み込まれて、搬送方向Ｄに引き抜かれる。ロール１１，１２，１３によって、対向する方向から挟まれた鋳片Ｂが、ピンチロール１３による引き抜きと、他の各ロール１１，１２の従動回転によって、搬送方向Ｄに搬送される。ロール群１０の近傍には、図示しない水冷装置が配置され、ロール群１０によって搬送されている鋳片Ｂに水を噴射して、鋳片Ｂを冷却する。
【００２５】
ピンチロール１３の下流には、複数の搬送ローラが並列に並べられたローラテーブル２１が設けられている。ローラテーブル２１は、ピンチロール１３によって引き抜かれてロール群１０から排出された鋳片Ｂを、続けて搬送方向Ｄに沿って搬送する。ローラテーブル２１の上流側の部位には、切断手段として、トーチカー２２が設けられている。トーチカー２２は、ガス切断装置を備えており、鋳片Ｂを切断（溶断）して、所定の長さに分割する。本連続鋳造装置１は、２ストランド型の装置であり、鋳型２からローラテーブル２１までの各構成要素が、それぞれ２つずつ並べて配置されており、鋳造と搬送、切断を、２系統で並行して行うことができる。
【００２６】
ローラテーブル２１の下流端の位置には、トランスファ装置２３が設けられている。トランスファ装置２３は、トーチカー２２において切断され、ローラテーブル２１の下流端に達した鋳片Ｂを、持ち上げて搬送することができる。トランスファ装置２３は、鋳片Ｂをローラテーブル２１から持ち上げ、ローラテーブル２１の下流部側方に設けられた計重機４２に移動させることができる。ローラテーブル２１の下流端に達した鋳片Ｂは、トランスファ装置２３によって持ち上げられ、計重機４２の載置面４２ａに載置される。
【００２７】
計重機４２は、載置面４２ａに載置された物体の重量を計測する装置である。トランスファ装置２３は、鋳片Ｂを計重機４２の載置面４２ａに載置すると、一旦、鋳片Ｂから離れ、鋳片Ｂにも載置面４２ａにも接触しない状態となる。この状態で、鋳片Ｂは、載置面４２ａの上に、所定の滞在時間の間、静止して滞在させられる。滞在時間は、計重機４２による重量の測定に必要な時間であり、載置面４２ａ上に静止している鋳片Ｂに対して、その重量（質量）が計測される。そして、その重量に基づいて、所定の断面積および長さを有する鋳片Ｂを製造できているかが判定される。
【００２８】
計重機４２の後段には、搬出用ローラテーブル４３が設けられており、計重機４２による質量測定により、所定の質量を有していると判定された鋳片Ｂが、トランスファ装置２３によって搬送され、搬出用ローラテーブル４３に集積される。搬出用ローラテーブル４３に集積された鋳片Ｂは、鋳片台車４４によって、圧延装置等、次工程の装置に搬送される。
【００２９】
本連続鋳造装置１はさらに、傷検出装置３０を有している。傷検出装置３０は、図２，３に示すように、カメラ３１と、光源３２と、解析端末３３を備えている。
【００３０】
カメラ３１は、鋳片Ｂの表面の状態を観察して観察情報を取得する観察手段として機能する。ここでは、カメラ３１は、計重機４２の載置面４２ａに滞在している鋳片Ｂの端面Ｂ１を撮影できるように、計重機４２の側方に配置されている。ここで鋳片Ｂの端面Ｂ１とは、鋳片Ｂの長手方向両端の表面の一方であり、トーチカー２２で切断された切断面に対応している。カメラ３１は、計重機４２の載置面４２ａに鋳片Ｂが載置された際に、鋳片Ｂの端面Ｂ１が配置される位置の正面に、撮影方向Ａを鋳片Ｂの長手方向に揃えて、配置されており、鋳片Ｂの端面Ｂ１を撮影することができる。また、カメラ３１は、ネットワークカメラよりなっており、撮影した画像を解析端末３３に転送することができるとともに、撮影条件の設定等の制御を、解析端末３３から行うことができる。
【００３１】
光源３２も、カメラ３１と同様に、計重機４２の側方に設置され、計重機４２の載置面４２ａに滞在している鋳片Ｂの、カメラ３１に撮影される端面Ｂ１を含む領域に、光Ｌを照射する。光Ｌの照射により、載置面４２ａに載置された鋳片Ｂの端面Ｂ１を、カメラ３１で明瞭に撮影することが可能となる。具体的な光源３２としては、例えば、ＬＥＤ照明装置を用いることができる。
【００３２】
解析端末３３は、コンピュータよりなり、カメラ３１からの画像の取得と、撮影条件の制御を行うことができる。また、解析端末３３は、カメラ３１から取得した観察情報としての撮影像の解析を行う判定手段として機能する。つまり、撮影像に基づいて鋳片Ｂの表面の傷を検出し、さらに、傷の検出結果に基づいて、上流のロール群１０におけるスケール堆積の有無を判定する。解析の詳細については、次に詳しく説明する。解析端末３３は、鋳片Ｂからの熱の影響等を受けずに、解析工程を実行し、また、管理者による監視や操作を行えるように、連続鋳造ラインから離れた位置、例えばラインの制御室に設置される。
【００３３】
［画像解析によるスケール堆積の検出］
上記のように、本連続鋳造装置１は、カメラ３１と、判定手段として機能する解析端末３３を含んだ傷検出装置３０を備えている。そして、カメラ３１で取得された撮影像に基づいて、ロール群１０を構成するロール１１，１２，１３にスケールが堆積しているかどうかを、解析端末３３によって判定する。
【００３４】
連続鋳造装置１において、鋳型２から引き抜かれた鋳片Ｂは、ロール群１０を上流から下流に通過する間に、徐々に冷却されて凝固するが、おおむね８００℃以上の高温の状態を維持する。高温の鋳片Ｂの表面では、酸化が起こり、スケールが形成される。そのように表面にスケールが形成された鋳片Ｂを、ロール群に１０において、対向するロールの組１１，１２，１３の間に挟み込んで搬送すると、ロール１１，１２，１３との摩擦により、スケールが鋳片Ｂの表面から剥落する場合がある。剥落したスケールは、ロール１１，１２，１３の表面に付着しやすい。剥落したスケールの付着が重なると、スケールがロール１１，１２，１３の表面に堆積することになる。スケールの堆積により、対向するロールの間の距離が小さくなる。その状態で鋳片Ｂを挟み込んで回転することになると、ロール１１，１２，１３の回転状態が、スケールが堆積していない状態から、変化してしまう。すると、正常な連続鋳造が行えなくなり、製造される鋳片Ｂの品質に影響を及ぼす可能性がある。また、ロール群１０に過剰な負荷を印加することにもなる。
【００３５】
ロール１１，１２，１３のいずれかの表面にスケールが堆積すると、高温で軟らかい状態にある鋳片Ｂが、そのロールを通過する際に、スケールとの接触によって、表面を引掻かれ、表面に傷が形成される。よって、ロール群１０から排出された鋳片Ｂにおいて、ロール１１，１２，１３との接触を経た面である接触面に傷が形成されていれば、鋳片Ｂの表面に傷を与えるようなスケールの堆積がロール１１，１２，１３の表面で起こっていることを、検知できる。
【００３６】
図４に、計重機４２の載置面４２ａに滞在している鋳片Ｂに対して、カメラ３１を用いて、端面Ｂ１を正面から撮影して得られた撮影像の例を示す。鋳片Ｂの端面Ｂ１が、略長方形の領域として、明るく観察されている。写真において、上方および左右の端縁は、ほぼ直線状に観察されているのに対し、下方の端縁には、中央よりやや左寄りの位置に、面の内側に向かって陥没した不規則形状よりなる凹構造が見られる。この凹構造が、ロール１１，１２，１３に堆積したスケールによって、鋳片Ｂの底面Ｂ２（載置面４２ａに接している面）に形成された傷に相当する。ロール１１，１２，１３にスケールが堆積すると、そのスケールが除去されない限り、鋳片Ｂの長手方向に沿って、表面の同じ位置に傷が形成され続けることになる。よって、トーチカー２２での切断によって得られた切断面である端面Ｂ１を観察することで、鋳片Ｂの長手方向に沿って底面Ｂ２に形成された傷を検出することができる。
【００３７】
ここで、鋳片Ｂの端面Ｂ１に対して撮影された撮影像を解析して、傷の検出およびスケールの堆積の有無を自動的に検出する方法について、説明する。図５に、図４の画像を拡大したものを示し、その画像に対する解析の各工程を説明する。
【００３８】
まず、傷を検出しやすいように、適宜、カメラ３１で得られた撮影像を二色化する。そして、角部特定工程を実施し、画像中で、鋳片Ｂの底面Ｂ２の角に相当する位置を特定する。例えば、画像中で、鋳片Ｂの端面Ｂ１の上辺および左右の辺を直線で近似したうえで、上辺に対応する近似直線を下辺に相当する位置に配置し、その直線と左右の辺に対応する近似直線との交点を、底面Ｂ２の角であると特定すればよい。図５中に、検出された角の位置を、丸印と符合１にて表示する。
【００３９】
次に、画素対応工程を実施する。ここでは、画像上の画素数と、実際の鋳片Ｂにおける長さとの対応関係を特定する。つまり、１画素が何ミリメートルに対応するかを見積もる。このために、図５中に両矢印の直線と符合２で示すように、画像中の鋳片Ｂの長辺方向（横方向）に沿って、鋳片Ｂが占める画素数を計数する。画素数の計数は、鋳片Ｂの短辺方向（縦方向）の複数の箇所、例えば１０箇所で行い、その平均値を算出する。そして、得られた画素数の平均値で、鋳型２の形状等の鋳造条件に応じて既知である実際の鋳片Ｂの長辺の長さを除すことで、画像中の１画素に対応する実際の長さを見積もることができる。
【００４０】
次に、傷検出工程を実施する。まず、上記角部検出工程で検出した底面Ｂ２の２つの角を直線で結び、基準線とする。図５中にも、基準線を表示している。この基準線を、傷が形成されない場合の底面Ｂ２の位置とみなすことができる。基準線が得られると、その基準線と、画像上の鋳片Ｂの実際の下端縁の位置とを、基準線に沿った各部において比較する。下端縁の位置が、基準線よりも上方に位置する領域が、基準線に沿ってある程度の長さに渡って連続していれば、その領域に傷が形成されていると判定することができる。図５では、楕円と符合３で示す領域に、傷が存在すると判定することができる。
【００４１】
このように傷の存在が検出されると、次に、検出された傷の深さを見積もる。この際、傷の中で最も深さの深い位置、つまり、基準線から鋳片Ｂの下端縁が最も上方に離れている位置を検出し、その位置での傷の深さに対応する画素数を計測する。そして、上記画素対応工程によって得られた、画素数と実際の長さの対応関係を利用して、傷の深さを、画素数から実際の深さに換算する。さらに、予め解析端末３３に記憶させておいた深さの閾値と比較して、その閾値よりも、上記換算を経て得られた深さの方が大きければ、ロール群１０を構成するロール１１，１２，１３にスケールが堆積していると判定する。ここで、閾値は、事前の試験や過去の実績により、ロール１１，１２，１３の回転状態や、得られる鋳片Ｂの品質に、無視できない影響を与えるようなスケールの堆積があった場合に、鋳片Ｂの表面に形成される傷の深さの最低値として見積もり、解析端末３３に記憶させておけばよい。
【００４２】
ここで、スケールの堆積の有無を判定するためのパラメータとして、傷の深さの代わりに、傷の面積を用いてもよい。その場合には、画像において、基準線よりも上方に陥没した領域の画素数を計測して、実際の面積に換算し、予め記憶させておいた面積の閾値よりもその値が大きければ、ロール群１０を構成するロール１１，１２，１３にスケールが堆積していると判定する。傷の面積による判定を、深さによる判定と併用してもよい。
【００４３】
図５の画像においては、傷は、端面Ｂ１の下方の端縁に観測されており、鋳片Ｂの底面Ｂ２に傷が形成されていることになる。つまり、下側ロール１１ａ，１２ａ，１３ａのいずれかにスケールが堆積していることを示している。
【００４４】
解析端末３３は、傷検出工程において、鋳片Ｂの表面に形成された傷の深さおよび／または面積に基づいて、ロール１１，１２，１３へのスケールの堆積が起こっていると判断すると、適宜、次に警報工程を実施する。つまり、解析端末３３の画面や、解析端末３３に接続された警報装置に、視覚情報や音による警報を発生させ、連続鋳造装置１の管理者に、ロール１１，１２，１３へのスケールの堆積が起こっていることを通知する。通知を受けた管理者は、ロール１１，１２，１３におけるスケールの堆積に対する処置を行う。例えば、一旦、鋳型２による鋳造およびロール群１０による搬送を停止したうえで、ロール群１０を構成する各ロール１１，１２，１３の表面を目視にて確認し、スケールの堆積箇所を特定したうえで、そのスケールを除去すればよい。なお、処置としては、必ずしもスケールの除去を行わなくても、例えば目視の結果等に応じて、確認だけに留めるような場合も含まれる。
【００４５】
以上のように、ロール群１０から排出された鋳片Ｂの表面を観察し、表面への傷の形成を指標として、ロール１１，１２，１３へのスケールの堆積を検出することで、連続鋳造装置１の運転を停止することなく、スケールの堆積の有無を監視し続けることができる。その結果、スケールの堆積があれば、深刻な異常につながる前に、早期に発見し、必要な処置を施すことができる。
【００４６】
ロール１１，１２，１３において発生し得る主な異常としては、ロール１１，１２，１３へのスケールの堆積の他に、ロール１１，１２，１３の表面の摩耗、油圧設備をはじめ、ロール１１，１２，１３を駆動するための装置の不具合、ロール１１，１２，１３を支持するベアリングの故障等が考えられる。しかし、これら主要な異常要因のうち、鋳片Ｂの表面に傷を与えうるものは、実質的に、ロール１１，１２，１３へのスケールの堆積のみである。よって、鋳片Ｂの表面への傷の形成を、異常検出の指標として用いることで、他の異常と区別して、ロール１１，１２，１３へのスケールの堆積を、選択的に検出することができる。
【００４７】
また、ロール１１，１２，１３へのスケールの付着等によって、ロール１１，１２，１３の回転状態にわずかな影響が生じたとしても、製品として得られる鋳片Ｂの品質に影響を及ぼさない限り、即座に処置を行わなくてもよい。鋳片Ｂの品質に影響を与えないようなわずかなスケールの付着に対しても、警報等による通知を受けて、目視確認、除去等の対処を行うとすれば、連続鋳造装置１の運転効率が低下してしまう。しかし、上記のように、製品そのものである鋳片Ｂに対して、品質異常そのものである傷の検出を行い、その傷の検出をもって、スケールの堆積の指標とすることで、製品の品質に影響を与えるような程度に達したスケールの堆積を、軽微なスケールの付着と区別して、選択的に検知することができる。さらに、上記傷検出工程において説明したように、実際の傷の深さや面積を閾値と比較して、閾値を超えた場合に、スケールの堆積が起こっていると判定することで、閾値の適切な設定によって、対処すべきスケールの堆積の程度を、製品の種類等に応じて選択することができる。閾値との大小関係だけでなく、傷の深さや面積の値から、スケールの堆積の程度を、さらに詳細に評価できるようにすれば、警報等を発して管理者に対処を行わせるべきスケール堆積の程度を、一層柔軟に設定できる。なお、傷の検出結果に基づくスケール堆積の程度の判定、およびその判定結果に基づく処置の必要性の有無の判断は、必ずしも全て解析端末３３によって自動的に行わなくてもよく、管理者が、解析端末３３の画面に表示された撮影像や解析結果等に基づいて、判定、判断の一部を行うようにしてもよい。
【００４８】
図５では、傷が端面Ｂ１の下端縁に形成されており、それを検出することで、下側ロール１１ａ，１２ａ，１３ａにスケールの堆積が起こっていると判定できる。スケールの堆積は、鋳片Ｂの自重によってスケールが巻き込まれやすい下側ロール１１ａ，１２ａ，１３ａにおいて、上側ロール１１ｂ，１２ｂ，１３ｂや側方ロールよりも起こりやすい。また、堆積したスケールが、深さや面積の大きい傷を、鋳片Ｂの表面に形成しやすい。よって、鋳片Ｂがロール群１０を通過する際に、重力方向下側に存在していた底面Ｂ２に、大きな傷が形成されやすい。そこで、上記の解析方法で説明したように、角部検出工程で鋳片Ｂの底面Ｂ２側の角を検出し、傷検出工程において、その角の位置によって規定される基準線に基づいて、端面Ｂ１の下端縁における傷の存在を検出することで、傷の検出を指標としたスケール堆積の検出を、敏感に行うことができる。また、上端縁や側端縁における傷の有無の解析を省略できるので、スケール堆積の検出を、簡便に行うことができる。このように、鋳片Ｂがロール群１０を通過する際に、下側ロール１１ａ，１２ａ，１３ａに接触していた底面Ｂ２を接触面として、カメラ３１による観察および傷の有無の判定の対象とすることで、効率的にスケールの堆積を検出することができる。また、上記のように、ロール１１，１２，１３の摩耗等、ロール１１，１２，１３の回転異常と相関を有する、スケールの堆積以外の主要な異常要因は、鋳片Ｂの表面への傷の形成を引き起こすものではないが、もし、他に傷形成の原因となる要素があるような状況でも、傷の形成が、底面Ｂ２において、他の面よりも深刻になっていれば、スケールの堆積による傷であると判定することができる。
【００４９】
傷検出装置３０として、上記連続鋳造装置１では、カメラ３１による端面Ｂ１の撮影を行い、撮影像を観察情報として用いているが、鋳片Ｂの表面の状態を観察して、観察情報を取得するための観察手段は、カメラ３１に限られるものではない。しかし、観察手段としてカメラ３１を用いることで、簡素な構成で、高温の鋳片Ｂの表面における傷の形成を、高感度に、また精度良く検出することができる。
【００５０】
鋳片Ｂにおいて、カメラ３１によって撮影する面も、特に限定されるものではないが、底面Ｂ２のように、鋳片Ｂがロール群１０を通過する際にロール１１，１２，１３と接触する接触面を、正面から撮影する場合には、その接触面に形成された傷の部分と、周囲の平坦部とで、光Ｌの反射や散乱の状態が異なることによって、傷の存在が検出されることになる。例えば、傷の部分が、周囲の平坦部と異なる明るさや色で観察されることになる。そのように画像上の明るさや色の分布という情報によって、傷を検出する場合には、傷の検出感度が低くなりやすい。しかし、上記のように、接触面に交差する面である端面Ｂ１を撮影する場合には、鋳片Ｂの長手方向に沿って接触面に形成された傷を、周囲の端縁から陥没した凹構造という、形状の分布の情報によって、検出することができる。この場合には、明るさや色の分布の情報を利用する場合よりも、高感度に、また明確に傷を検出することができる。なお、予め定めた閾値との比較により、ロール１１，１２，１３へのスケール堆積の有無を判定するための指標とするパラメータとしては、鋳片Ｂにおいて観察する部位や観察方向、観察手段の種類等に応じて、傷の深さおよび大きさのいずれか少なくとも一方とすればよい。傷の大きさは、傷の面積（断面積または開口面積）、幅、長さのいずれか少なくとも１つを指標として、評価すればよい。選択したパラメータについて、実際に得られた測定値が、あらかじめ設定した閾値を超えていれば、ロール１１，１２，１３にスケールが堆積していると判定することができる。特に、傷の深さを指標として用いることで、ロール１１，１２，１３の表面にスケールが高く積み上がった状態を、敏感に検出することができる。
【００５１】
ロール１１，１２，１３へのスケールの堆積を検出するために、連続鋳造装置１のどの位置で、鋳片Ｂに対して傷の検出を行うかは、特に限定されるものではないが、スケール堆積以外の要因で形成されうる傷を検出することがないように、圧延等、連続鋳造よりも後段の加工を行う前の段階で、傷の検出を完了する必要がある。中でも、カメラ３１等の観察手段による鋳片Ｂの表面状態の観察を正確に行い、解析端末３３に高品質の観察情報を提供するために、観察手段による観察を、鋳片Ｂがロール群１０やローラテーブル２１によって搬送されて動いている間ではなく、静止している間に行うことが好ましい。鋳片Ｂを切断するトーチカー２２よりも後段で、静止した鋳片Ｂに対して、撮影等の観察を行いうる期間として、上記で説明した計重機４２の載置面４２ａに鋳片Ｂが滞在している期間の他に、トランスファ装置２３によって鋳片Ｂがローラテーブル２１から持ち上げられ、計重機４２に向かって移動される前の期間を挙げることができる。しかし、トランスファ装置２３によって搬送される段階の鋳片Ｂは、８００℃程度の高温の状態にあり、表面に多量のスケールが形成されている。表面のスケールは、傷の正確な検出を妨げるものとなる。これに対し、鋳片Ｂが計重機４２に達するまでの間に冷却を受けると、熱衝撃により、スケールが鋳片Ｂの表面から剥落し、表面の傷を精度良く検出しやすくなる。そのため、計重機４２の位置で観察情報を取得することが好ましい。
【００５２】
以上、本発明の実施形態について説明したが、本発明は、これらの実施形態に特に限定されることなく、種々の改変を行うことが可能である。
【符号の説明】
【００５３】
１          連続鋳造装置
２          鋳型
１０        ロール群
１３        ピンチロール
１３ａ      下側ピンチロール
１３ｂ      上側ピンチロール
２１        ローラテーブル
２２        トーチカー（切断手段）
２３        トランスファ装置
３０        傷検出装置
３１        カメラ（観察手段）
３２        光源
３３        解析端末（判定手段）
４２        計重機
４２ａ      載置面
Ｂ          鋳片
Ｂ１        鋳片の端面（切断面）
Ｂ２        鋳片の底面
Ｄ          搬送方向
Ｌ          光
【図１】
2020032447.tif 000003
【図２】
2020032447.tif 000004
【図３】
2020032447.tif 000005
【図４】
2020032447.tif 000006
【図５】
2020032447.tif 000007